(57)【要約】【課題】手首を動かさずにレバーを操作して施開錠できる打掛け錠を提供する。【解決手段】出入口を形成する仕切りパネルＰに取り付ける揺動可能なレバー４と、レバー４に設けられた揺動操作用の摘み５と、レバー４を受け止める受け具２とを有し、受け具２に受け止められたレバー４で扉Ｔの閉鎖状態を保持する打掛け錠において、摘み５を、レバーの揺動軸心Ｏ２と平行な軸心Ｏ１を中心として回転自在に支持した。【選択図】図１
2006188879.tif 000002
【特許請求の範囲】
【請求項１】
出入口を形成する仕切りパネルと前記出入口を開閉する扉のいずれか一方に取り付ける揺動可能なレバーと、そのレバーに設けられた揺動操作用の摘みと、前記レバーを受け止める受け具とを有し、その受け具に受け止められた前記レバーで扉の閉鎖状態を保持する打掛け錠において、前記摘みを、レバーの揺動軸心と平行な軸心を中心として回転自在に支持したことを特徴とする打掛け錠。
【請求項２】
前記摘みが、前記回転軸心と同心の円筒体からなる請求項１に記載の打掛け錠。
【請求項３】
前記摘みに、指掛け穴を形成した請求項１に記載の打掛け錠。
【発明の詳細な説明】
【技術分野】
【０００１】
この発明は、スーパー等の商業施設や病院等に設けられた公衆トイレ等の扉を施開錠する打掛け錠に関するものである。
【背景技術】
【０００２】
スーパーや病院等に設置された公衆トイレの扉を施開錠する打掛け錠として、掛け具と受け具とからなり、掛け具が有する揺動自在のレバーを受け具で受け止めて扉の閉鎖状態を保持するものが従来から知られている。
【０００３】
しかし、この従来の打掛け錠は、手首が不自由なトイレ利用者による操作性が悪い。すなわち、従来の打掛け錠は、揺動操作用の摘みがレバーに固着されているので、摘みを持ってレバーを操作する際、摘みを持つ手の角度をレバーの揺動角度に応じて変化させる必要がある。ところが、身体障害や病気、怪我などにより手首を自由に動かせない人は、手首の角度を変化させることが難しく、従来の打掛け錠を円滑に施開錠できなかった。
【発明の開示】
【発明が解決しようとする課題】
【０００４】
この発明が解決しようとする課題は、手首を動かさずにレバーを操作して施開錠できる打掛け錠を提供することである。
【課題を解決するための手段】
【０００５】
上記の課題を解決するために、出入口を形成する仕切りパネルと前記出入口を開閉する扉のいずれか一方に取り付ける揺動可能なレバーと、そのレバーに設けられた揺動操作用の摘みと、前記レバーを受け止める受け具とを有し、その受け具に受け止められた前記レバーで扉の閉鎖状態を保持する打掛け錠において、前記摘みを、レバーの揺動軸心と平行な軸心を中心として回転自在に支持した。
【０００６】
この打掛け錠は、以下の構成を加えるとより好ましいものとなる。
１）前記摘みを、前記回転軸心と同心の円筒体とする。
２）前記摘みに、指掛け穴を形成する。
【発明の効果】
【０００７】
揺動操作用の摘みを、レバーの揺動軸心と平行な軸心を中心として回転自在としたので、レバーの揺動による摘みの姿勢の変化を、レバーと摘みの相対回転により吸収することができる。そのため、摘みの姿勢を一定に保ちながらレバーを揺動させることができ、手首を動かさずにレバーを操作して施開錠できる。
【発明を実施するための最良の形態】
【０００８】
図１に、第１実施形態の打掛け錠を取り付けた状態を示す。この打掛け錠は、仕切りパネルＰに取り付けられる掛け具１と、仕切りパネルＰの出入口を開閉する扉Ｔに取り付けられる受け具２とからなり、掛け具１と受け具２で仕切りの内側から扉Ｔを施開錠する。
【０００９】
掛け具１は、図１、図２に示すように、仕切りパネルＰに固定される固定座３と、固定座３により揺動可能に支持されるレバー４とからなり、レバー４を図の２点鎖線で示す位置まで揺動させることによって、そのレバー４で扉Ｔの開放を阻止することができるようになっている。
【００１０】
一方、受け具２は扉Ｔに固定されており、揺動するレバー４を受け止めて保持することができる。
【００１１】
レバー４には、図３に示すように、円筒体からなる摘み５が取り付けられており、摘み５を持って移動させることによってレバー４を揺動させることができる。この摘み５は、レバー４に固定された支軸６で軸支されて、円筒体の軸心Ｏ１を中心として回転自在に取り付けられており、しかも、摘み５の回転軸心Ｏ１はレバー４の揺動軸心Ｏ２と平行なので、レバー４の揺動による摘み５の姿勢の変化を、レバー４と摘み５の相対回転によって吸収することができる。そのため、摘み５の姿勢を一定に保ったままレバー４を揺動させることができる。
【００１２】
よって、この打掛け錠によれば、摘み５を持つ手の姿勢を一定に保ったまま摘み５を移動させてレバー４を揺動させることが可能であり、手首を自由に動かせない人でも円滑に施開錠できる。
【００１３】
図４に、第２実施形態の打掛け錠を取り付けた状態を示す。この打掛け錠は、レバー４に取り付けられた摘みの形状が第１実施形態と異なり、他の部分は第１実施形態と同様である。
【００１４】
この実施形態の打掛け錠の摘み７は、図５に示すように、レバー４から内方に伸び出して下方に湾曲しており、下方への湾曲部分に指掛け穴８が形成されている。この指掛け穴８は、指を入れて穴の縁に指を掛けることができ、指を掛けた手を移動させてレバー４を揺動させることができる。この摘み７は、レバー４に固定された支軸６で軸支されて、レバー４の揺動軸心Ｏ２と平行な軸心Ｏ３を中心として回転自在に取り付けられており、図４の２点鎖線で示すように、摘み７の姿勢を一定に保ったままレバー４を揺動させることができる。
【００１５】
よって、この打掛け錠によれば、指を掛けた手の姿勢を一定に保ったまま摘み７を移動させてレバー４を揺動させることが可能であり、手首を自由に動かせない人でも円滑に施開錠できる。また、レバー４を揺動させる際に摘み７を持つ必要がないので、摘みを持つ力のない人でも施開錠することができる。
【００１６】
図では、掛け具１を仕切りパネルＰに、受け具２を扉Ｔにそれぞれ取り付けたが、受け具２は、仕切りパネルＰに取り付けてレバー４を受け止めるようにしてもよく、固定座３に取り付けてレバー４を受け止めるようにしてもよい。また、掛け具１を扉Ｔに、受け具２を仕切りパネルＰにそれぞれ取り付けてもよく、この場合、互いに向き合う対向片を受け具２に設け、揺動するレバー４がこの対向片の間で受け具２に受け止められて扉Ｔの閉鎖状態を保持するようにすると好ましい。
【００１７】
図では、受け具２は、扉Ｔの内面に取り付けているが、たとえば、扉Ｔの側面に取り付けてレバー４を受け止めるようにしてもよく、揺動するレバー４を受け止めて扉Ｔの閉鎖状態を保持可能であればよい。
【００１８】
図では、摘み５を、レバー４に固定された支軸６で軸支して回転自在に支持しているが、たとえば、摘み５の一端に軸部を形成し、その軸部をレバー４に設けた軸穴で支持するようにしてもよく、摘み５が回転自在に支持されていればよい。摘み７についても同様である。
【００１９】
摘みの形状は、上記の実施形態の形状に限定されず、たとえば、摘みの回転軸心と同心の筒体と、この筒体から垂下する垂下体とからなる形状でもよく、レバーを揺動操作できる形状であればよい。
【図面の簡単な説明】
【００２０】
【図１】第１実施形態の打掛け錠を取り付けた状態を示す正面図
【図２】同上の状態を示す平面図
【図３】同上の状態を示す側面視断面図
【図４】第２実施形態の打掛け錠を取り付けた状態を示す正面図
【図５】同上の状態を示す側面視断面図
【符号の説明】
【００２１】
１        掛け具
２        受け具
４        レバー
５、７    摘み
８        指掛け穴
Ｐ        仕切りパネル
Ｔ        扉
Ｏ１、Ｏ３    摘みの回転軸心
Ｏ２      レバーの揺動軸心
【図１】
2006188879.tif 000003
【図２】
2006188879.tif 000004
【図３】
2006188879.tif 000005
【図４】
2006188879.tif 000006
【図５】
2006188879.tif 000007